(57)【要約】    【課題】      携帯通信端末装置の保持者が警報音を鳴らした時に個人情報が盗まれることを防止すること。    【解決手段】  警報キースイッチ１１１１は、携帯通信端末装置１００の外表面部１００Ａの所定位置に配設されている。音声出力部１０５は、警報キースイッチ１１１１が押された時に警報音を発生する。暗号化処理部１０８は、警報キースイッチ１１１１が押された時に携帯通信端末装置１００のデータ記憶部１０９の個人情報記憶部１０９１に記憶されている個人に関係する個人情報を暗号化して暗号化データを生成する。制御部１１０は、暗号化データ保存部１０９２に前記暗号化データを保存させる。制御部１１０は、前記暗号化データの保存の後に個人情報記憶部１０９１に記憶されているデータを削除する。  【選択図】      図１
2005204056.tif 000002
【特許請求の範囲】
【請求項１】
携帯通信端末装置の外表面部の所定位置に配設されている警報スイッチと、前記警報スイッチが押された時に警報音を発生する警報音発生手段と、前記警報スイッチが押された時に前記携帯通信端末装置のデータ記憶手段に記憶されている個人に関係する個人情報を暗号化して暗号化データを生成する暗号化手段と、前記暗号化データを前記データ記憶手段に保存させる暗号化データ保存手段と、前記暗号化データ保存手段による前記暗号化データの保存の後に前記データ記憶手段に記憶されているデータを削除するデータ削除手段と、を具備することを特徴とする携帯通信端末装置。
【請求項２】
前記携帯通信端末装置の位置情報を取得する位置情報取得手段と、前記警報スイッチが押された時に前記位置情報取得手段が取得している前記位置情報を特定の人が所持する通信装置に報知する位置情報報知手段と、を具備することを特徴とする請求項１に記載の携帯通信端末装置。
【請求項３】
携帯通信端末装置の外表面部の所定位置に配設されている警報スイッチと、前記警報スイッチが押された時に警報音を発生する警報音発生手段と、前記警報スイッチが押された時に前記携帯通信端末装置のデータ記憶手段に記憶されている個人に関係する個人情報を暗号化して暗号化データを生成する暗号化手段と、前記暗号化データをサーバに伝送する暗号化データ伝送手段と、前記暗号化データ伝送手段による前記暗号化データの伝送の後に前記データ記憶手段に記憶されているデータを削除するデータ削除手段と、を具備することを特徴とする携帯通信端末装置。
【請求項４】
前記携帯通信端末装置の位置情報を取得する位置情報取得手段と、前記警報スイッチが押された時に前記位置情報取得手段が取得している前記位置情報を特定の人が所持する通信装置に報知する位置情報報知手段と、を具備することを特徴とする請求項３に記載の携帯通信端末装置。
【請求項５】
携帯通信端末装置の外表面部の所定位置に配設されている警報スイッチと、前記警報スイッチが押された時に警報音を発生する警報音発生手段と、前記携帯通信端末装置の位置情報を取得する位置情報取得手段と、前記警報スイッチが押された時に前記位置情報取得手段が取得している前記位置情報を特定の人が所持する通信装置に報知する位置情報報知手段と、前記警報スイッチが押された時に前記携帯通信端末装置のデータ記憶手段に記憶されている個人に関係する個人情報を暗号化して暗号化データを生成する暗号化手段と、前記暗号化データをサーバに伝送する暗号化データ伝送手段と、前記サーバから前記暗号化データを受信したことの受信完了通知を受けた後に前記データ記憶手段に記憶されているデータを削除するデータ削除手段と、を具備することを特徴とする携帯通信端末装置。
【発明の詳細な説明】
【技術分野】
【０００１】
本発明は、緊急時に警報音を発生する携帯通信端末装置に関する。
【背景技術】
【０００２】
従来の携帯通信端末装置として、特許文献１に記載されたものがある。特許文献１に記載された携帯通信端末装置は、キー入力部に非常である旨の入力がされたことを検出したときには防犯アラームや自動発呼等の非常警告を行うように制御部に検出信号を出力する非常検出部を設けてなるものである。
【０００３】
また、従来の携帯通信端末装置として、特許文献２に記載されたものがある。特許文献２に記載された携帯通信端末装置は、外部との無線通信を行う無線通信手段を備えるとともに、非常時に外部への非常時通知を行える非常時通知手段を備え、前記非常時通知手段を駆動する専用キーと、非常時の発生を外部に通知する非常ベル音を記憶した専用メモリと、前記非常時通知手段の駆動電力を供給するための前記無線通信手段の電源とは異なる非常電池を備えてなるものである。
【特許文献１】特開平１１−３４１５６７号公報
【特許文献２】特開２００２−２１７８２６号公報
【発明の開示】
【発明が解決しようとする課題】
【０００４】
しかしながら、従来の携帯通信端末装置においては、悪意のある者に携帯通信端末装置の保持者が携帯通信端末装置により警報音を発生した時に携帯通信端末装置を奪われて携帯通信端末装置に記憶されている個人に関係する個人情報が盗まれる場合があるという問題がある。
【０００５】
本発明は、かかる点に鑑みてなされたものであり、携帯通信端末装置の保持者が携帯通信端末装置により警報音を発生した時に個人情報が盗まれることを防止することができる携帯通信端末装置を提供することを目的とする。
【課題を解決するための手段】
【０００６】
請求項１に記載の携帯通信端末装置は、携帯通信端末装置の外表面部の所定位置に配設されている警報スイッチと、前記警報スイッチが押された時に警報音を発生する警報音発生手段と、前記警報スイッチが押された時に前記携帯通信端末装置のデータ記憶手段に記憶されている個人に関係する個人情報を暗号化して暗号化データを生成する暗号化手段と、前記暗号化データを前記データ記憶手段に保存させる暗号化データ保存手段と、前記暗号化データ保存手段による前記暗号化データの保存の後に前記データ記憶手段に記憶されているデータを削除するデータ削除手段と、を具備する構成を採る。
【０００７】
この構成によれば、携帯通信端末装置の保持者が携帯通信端末装置により警報音を発生した時に個人情報が盗まれることを防止することができる。
【０００８】
請求項２に記載の携帯通信端末装置は、請求項１に記載の発明において、前記携帯通信端末装置の位置情報を取得する位置情報取得手段と、前記警報スイッチが押された時に前記位置情報取得手段が取得している前記位置情報を特定の人が所持する通信装置に報知する位置情報報知手段と、を具備する構成を採る。
【０００９】
この構成によれば、携帯通信端末装置の保持者が携帯通信端末装置により警報音を発生した時に個人情報が盗まれることを防止することができ、また、携帯通信端末装置の保持者が居る位置の位置情報を特定の人が所持する通信装置に報知することができる。
【００１０】
請求項３に記載の携帯通信端末装置は、携帯通信端末装置の外表面部の所定位置に配設されている警報スイッチと、前記警報スイッチが押された時に警報音を発生する警報音発生手段と、前記警報スイッチが押された時に前記携帯通信端末装置のデータ記憶手段に記憶されている個人に関係する個人情報を暗号化して暗号化データを生成する暗号化手段と、前記暗号化データをサーバに伝送する暗号化データ伝送手段と、前記暗号化データ伝送手段による前記暗号化データの伝送の後に前記データ記憶手段に記憶されているデータを削除するデータ削除手段と、を具備する構成を採る。
【００１１】
この構成によれば、携帯通信端末装置の保持者が携帯通信端末装置により警報音を発生した時に個人情報が盗まれることを防止することができる。
【００１２】
請求項４に記載の携帯通信端末装置は、請求項３に記載の発明において、前記携帯通信端末装置の位置情報を取得する位置情報取得手段と、前記警報スイッチが押された時に前記位置情報取得手段が取得している前記位置情報を特定の人が所持する通信装置に報知する位置情報報知手段と、を具備する構成を採る。
【００１３】
この構成によれば、携帯通信端末装置の保持者が携帯通信端末装置により警報音を発生した時に個人情報が盗まれることを防止することができ、また、携帯通信端末装置の保持者が居る位置の位置情報を特定の人が所持する通信装置に報知することができる。
【００１４】
請求項５に記載の携帯通信端末装置は、携帯通信端末装置の外表面部の所定位置に配設されている警報スイッチと、前記警報スイッチが押された時に警報音を発生する警報音発生手段と、前記携帯通信端末装置の位置情報を取得する位置情報取得手段と、前記警報スイッチが押された時に前記位置情報取得手段が取得している前記位置情報を特定の人が所持する通信装置に報知する位置情報報知手段と、前記警報スイッチが押された時に前記携帯通信端末装置のデータ記憶手段に記憶されている個人に関係する個人情報を暗号化して暗号化データを生成する暗号化手段と、前記暗号化データをサーバに伝送する暗号化データ伝送手段と、前記サーバから前記暗号化データを受信したことの受信完了通知を受けた後に前記データ記憶手段に記憶されているデータを削除するデータ削除手段と、を具備する構成を採る。
【００１５】
この構成によれば、携帯通信端末装置の保持者が携帯通信端末装置により警報音を発生した時に個人情報が盗まれることを防止することができ、また、携帯通信端末装置の保持者が居る位置の位置情報を特定の人が所持する通信装置に報知することができる。
【発明の効果】
【００１６】
以上説明したように、本発明によれば、携帯通信端末装置の保持者が携帯通信端末装置により警報音を発生した時に個人情報が盗まれることを防止することができる。
【発明を実施するための最良の形態】
【００１７】
本発明の骨子は、警報スイッチが押された時に警報音を発生し、データ記憶手段に記憶されている個人に関係する個人情報を暗号化して暗号化データを生成し、前記暗号化データを前記データ記憶手段に保存させ、かつ、前記データ記憶手段に記憶されているデータを削除することである。
【００１８】
以下、本発明の実施の形態について、図面を参照して説明する。
【００１９】
（実施の形態１）
図１は、本発明の実施の形態１に係る携帯通信端末装置を示すブロック図である。図１に示すように、本発明の実施の形態１に係る携帯通信端末装置１００は、アンテナ１０１、無線部１０２、音声処理部１０３、音声入力部１０４、音声出力部１０５、表示部１０６、位置情報取得部１０７、暗号化処理部１０８、データ記憶部１０９、制御部１１０及び操作入力部１１１を具備している。
【００２０】
データ記憶部１０９は、個人情報記憶部１０９１、暗号化データ保存部１０９２、緊急メッセージ記憶部１０９３及び緊急時連絡先記憶部１０９４を具備している。個人情報記憶部１０９１、暗号化データ保存部１０９２、緊急メッセージ記憶部１０９３及び緊急時連絡先記憶部１０９４は、不揮発性のメモリ装置で構成されている。操作入力部１１１は、警報キースイッチ１１１１、解除キースイッチ１１１２及びその他の操作キースイッチ部１１１３を具備している。
【００２１】
制御部１１０は、操作入力部１１１からの信号に基づいて音声処理部１０３、音声入力部１０４、音声出力部１０５、表示部１０６、位置情報取得部１０７、暗号化処理部１０８及びデータ記憶部１０９を制御する。
【００２２】
アンテナ１０１は、サーバを介して他の通信装置からの無線信号を受信して受信信号を生成して無線部１０２に与える。また、アンテナ１０１は、無線部１０２からの送信信号を無線信号としてサーバ又はサーバを介して他の通信装置に送信する。無線部１０２は、アンテナ１０１からの受信信号を受けて所定の処理をして音声処理部１０３及び制御部１１０に与える。また、無線部１０２は、音声処理部１０３からの音声信号を受けて送信信号としてアンテナ１０１に与える。
【００２３】
音声処理部１０３は、音声入力部１０４からの音声信号を受けて所定の処理をして無線部１０２に与える。また、音声処理部１０３は、無線部１０２からの受信信号を受けて音声出力部１０５に与える。音声入力部１０４は、人の音声等を受けて音声信号を生成して音声処理部１０３に与える。音声出力部１０５は、音声処理部１０３からの受信信号を受けてこの受信信号に応じた音声を出力する。
【００２４】
警報キースイッチ１１１１は、警報信号を制御部１１０に入力するためのものである。解除キースイッチ１１１２は、警報信号が誤って制御部１１０に入力された時に警報状態を解除するためのものである。操作キースイッチ部１１１３は、操作信号及びメッセージを制御部１１０に入力するためのものである。
【００２５】
表示部１０６は、制御部１１０からの操作指示又はメッセージを表示するためのものである。位置情報取得部１０７は、携帯通信端末装置１００の現在の位置の情報を取得するものである。位置情報取得部１０７は、例えば、ＧＰＳ受信装置で構成されている。
【００２６】
制御部１１０は、操作キースイッチ部１１１３からの操作信号及びメッセージに基づいてサーバ又は他の通信装置と通信を行う。また、制御部１１０は、操作キースイッチ部１１１３からの操作信号及びメッセージに基づいて表示部１０６に操作指示又はメッセージを表示させる。また、制御部１１０は、警報キースイッチ１１１１からの警報信号を受けた時には個人情報記憶部１０９１に記憶されている個人情報を暗号化処理部１０８に暗号化処理をさせ暗号化データを生成させて暗号化データ保存部１０９２に保存させる。個人情報とは、個人に関係する情報であり、他人に知られたくない情報である。制御部１１０は、暗号化データを生成させて暗号化データ保存部１０９２に保存させた後に、個人情報記憶部１０９１に記憶されている個人情報を削除する。
【００２７】
また、制御部１１０は、警報キースイッチ１１１１からの警報信号を受けた時には緊急メッセージ記憶部１０９３に予め記憶されている警報音又は緊急メッセージを音声処理部１０３を介して音声出力部１０５に警報音又は緊急メッセージ音として出力させる。
【００２８】
また、制御部１１０は、警報キースイッチ１１１１からの警報信号を受けた時には位置情報取得部１０７からの位置情報を受けてこの位置情報を緊急時連絡先記憶部１０９４に記憶されている緊急時連絡先（特定の人）の通信装置に報知する。
【００２９】
図２は、本発明の実施の形態１に係る携帯通信端末装置を示す正面図である。図２に示すように、警報キースイッチ１１１１及び解除キースイッチ１１１２は、携帯通信端末装置１００の外表面部１００Ａの正面最上部に配設されている。
【００３０】
図３は、本発明の実施の形態１に係る携帯通信端末装置の警報キースイッチ及び解除キースイッチを示す拡大断面図である。図４は、本発明の実施の形態１に係る携帯通信端末装置の警報キースイッチを押した状態を示す図である。
【００３１】
図３に示すように、警報キースイッチ１１１１及び解除キースイッチ１１１２は、携帯通信端末装置１００の外表面部１００Ａに形成された凹部１１１４、１１１５に配設されている。これらの凹部１１１４、１１１５の上部には、警報キースイッチ１１１１及び解除キースイッチ１１１２を被覆するようにカバー部材１１１６、１１１７が設けられている。これらのカバー部材１１１６、１１１７は、手指３００により一定以上の圧力で押して破ることができる部材で構成されている。
【００３２】
図４に示すように、カバー部材１１１６を手指３００により押して破ることで警報キースイッチ１１１１が押されてＯＮとされる。同様に、カバー部材１１１７を手指３００により押して破ることで解除キースイッチ１１１２が押されてＯＮとされる。
【００３３】
次に、本発明の実施の形態１に係る携帯通信端末装置１００の動作の１例について、図１とともに図５を参照して説明する。図５は、本発明の実施の形態１に係る携帯通信端末装置１００の動作の１例を説明するためのフロー図である。
【００３４】
ステップＳＴ５０１において制御部１１０は警報キースイッチ１１１１がＯＮであるかを判断する。テップＳＴ５０１において警報キースイッチ１１１１がＯＮである時に、制御部１１０は音声出力部１０５を通常モードの音量設定を解除し（ステップＳＴ５０２）、音量設定を警報モードに設定し（ステップＳＴ５０３）、ステップＳＴ５０４、ＳＴ５０５、ＳＴ５０６へ行く。
【００３５】
携帯通信端末装置１００は、ステップＳＴ５０４において警報音を出力し、ＳＴ５０５において緊急時連絡先の通信装置に位置情報を報知し、かつ、ＳＴ５０６において個人情報を暗号化して暗号化データを生成する。次に、制御部１１０は、暗号化データを暗号化データ保存部１０９２に保存し（ステップＳＴ５０７）、その後に個人情報記憶部１０９１に記憶されている個人情報を削除する（ステップＳＴ５０８）。
【００３６】
ステップＳＴ５０４において警報音を出力している時に制御部１１０は解除キースイッチ１１１２がＯＮであるかを判断する（ステップＳＴ５０９）。ステップＳＴ５０９において解除キースイッチ１１１２がＯＮである時に、制御部１１０は音声出力部１０５による警報音の出力を停止し（ステップＳＴ５１０）、通常状態へ戻る（ステップＳＴ５１１）。解除キースイッチ１１１２がＯＮとなっても、暗号化データ保存部１０９２に保存された暗号化データは何の影響も受けない。ステップＳＴ５０５、ＳＴ５０８、ＳＴ５１１の後に、制御部１１０は動作が終了であるかを判断し（ステップＳＴ５１２）、動作が終了でない時にはステップＳＴ５０１へ戻る。
【００３７】
なお、本発明の実施の形態１において、警報キースイッチ１１１１及び解除キースイッチ１１１２は、図６〜図９に示すように、携帯通信端末装置１００の外表面部１００Ａの所望の位置に配設してもよい。
【００３８】
また、警報キースイッチ１１１１及び解除キースイッチ１１１２は、図１０〜図１５に示すような種々の構造を有するようにしてもよい。
【００３９】
図１０及び図１１に示すように、警報キースイッチ１１１１及び解除キースイッチ１１１２は、携帯通信端末装置１００の外表面部１００Ａに形成された１つの凹部１１１４に配設されている。この凹部１１１４の上部には、警報キースイッチ１１１１及び解除キースイッチ１１１２を被覆するようにカバー部材１１１８が設けられている。このカバー部材１１１８は、凹部１１１４を開閉できるように手指３００により移動可能に外表面部１００Ａに設けられている。図１１に示すように、カバー部材１１１８が手指３００により移動されて凹部１１１４が開口された状態で警報キースイッチ１１１１を手指で押してＯＮとすることができる。同様に、カバー部材１１１８が手指３００により移動されて凹部１１１４が開口された状態で解除キースイッチ１１１２を手指で押してＯＮとすることができる。
【００４０】
図１２及び図１３に示すように、警報キースイッチ１１１１及び解除キースイッチ１１１２は、携帯通信端末装置１００の外表面部１００Ａに形成された２つの凹部１１１４、１１１５に配設されている。これらの凹部１１１４、１１１５の上部には、警報キースイッチ１１１１及び解除キースイッチ１１１２を被覆するようにカバー部材１１１６、１１１７が設けられている。これらのカバー部材１１１６、１１１７は、手指３００により一定以上の圧力で押して破ることができる部材で構成されている。また、カバー部材１１１６、１１１７の上には、弾性部材１１１９、１１２０が配置されている。図１３に示すように、弾性部材１１１９を手指３００により一定以上の圧力で押してカバー部材１１１６を押し破ることにより警報キースイッチ１１１１をＯＮとすることができる。同様に、弾性部材１１２０を手指３００により一定以上の圧力で押してカバー部材１１１７を押し破ることにより解除キースイッチ１１１２をＯＮとすることができる。
【００４１】
図１４に示すように、警報キースイッチ１１１１及び解除キースイッチ１１１２は、一体的に形成されており、携帯通信端末装置１００の外表面部１００Ａに形成された１つの凹部１１１４の配設されている。図１４に示すように、警報キースイッチ１１１１を手指３００で押すことにより警報キースイッチ１１１１をＯＮとすることができる。同様に、解除キースイッチ１１１２を手指３００で押すことにより解除キースイッチ１１１２をＯＮとすることができる。
【００４２】
図１５に示すように、警報キースイッチ１１１１及び解除キースイッチ１１１２は、１つのキースイッチ１１２１で構成されており、携帯通信端末装置１００の外表面部１００Ａに形成された１つの凹部１１１４の配設されている。キースイッチ１１２１が手指３００によりＯＮの位置に配置された時に警報信号が生成され、かつ、キースイッチ１１２１が手指によりＯＦＦの位置に配置された時に解除信号が生成される。
【００４３】
このように、本発明の実施の形態１においては、携帯通信端末装置１００の保持者が携帯通信端末装置１００により警報音を発生した時に個人情報を暗号化して暗号化データを保存し、個人情報を削除するため、個人情報が盗まれることを防止することができ、また、携帯通信端末装置の保持者が居る位置の位置情報を特定の人が所持する通信装置に報知することができる。
【００４４】
（実施の形態２）
次に、本発明の実施の形態２について、図面を参照して詳細に説明する。図１６は、本発明の実施の形態２に係る携帯通信端末装置を示すブロック図である。本発明の実施の形態２においては、本発明の実施の形態１と同じ構成要素には同じ参照符号が付され、その説明が省略される。
【００４５】
図１６に示すように、本発明の実施の形態２に係る携帯通信端末装置１６００は、本発明の実施の形態１においてタイマー部１６０１を追加してなる。
【００４６】
すなわち、本発明の実施の形態２に係る携帯通信端末装置１６００は、アンテナ１０１、無線部１０２、音声処理部１０３、音声入力部１０４、音声出力部１０５、表示部１０６、位置情報取得部１０７、暗号化処理部１０８、データ記憶部１０９、制御部１１０、操作入力部１１１及びタイマー部１６０１を具備している。タイマー部１６０１は、制御部１１０及び緊急メッセージ記憶部１０９３に接続されている。
【００４７】
次に、本発明の実施の形態１と異なる本発明の実施の形態２に係る携帯通信端末装置１６００の動作について、図１６を参照して説明する。
【００４８】
制御部１１０は、警報キースイッチ１１１１から警報信号を受けた時にタイマー部１６０１に起動信号を与えてタイマー部１６０１を起動する。タイマー部１６０１は、起動信号を受けた時点から所定時間後に音切り替え信号を制御部１１０に与える。制御部１１０は、警報信号を受けた時点から音切り替え信号を受ける以前において緊急メッセージ記憶部１０９３に記憶されている第１の警報音又は第１のメッセージを読み出して音声処理部１０３を介して音声出力部１０５に与えて第１の警報音又は第１のメッセージを出力させる。
【００４９】
次に、制御部１１０は、音切り替え信号を受けた後に緊急メッセージ記憶部１０９３に記憶されている第２の警報音又は第２のメッセージを読み出して音声処理部１０３を介して音声出力部１０５に与えて第２の警報音又は第２のメッセージを出力させる。
【００５０】
このように、本発明の実施の形態２においては、本発明の実施の形態１の効果に加えて、警報キースイッチ１１１１を押した時点から所定時間において第１の警報音又は第１のメッセージが出力され、かつ、警報キースイッチ１１１１を押した時点から所定時間の経過後に第２の警報音又は第２のメッセージが出力されるため、緊急事態を正確に第３者に通知することができる。
【００５１】
（実施の形態３）
次に、本発明の実施の形態３について、図面を参照して詳細に説明する。図１７は、本発明の実施の形態３に係る携帯通信端末装置を示すブロック図である。本発明の実施の形態３においては、本発明の実施の形態１と同じ構成要素には同じ参照符号が付され、その説明が省略される。
【００５２】
図１７に示すように、本発明の実施の形態３に係る携帯通信端末装置１７００は、本発明の実施の形態１において暗号化データ保存部１９０２を削除し、データ記憶部１０９の代わりにデータ記憶部１７０１を具備し、かつ、暗号化データ伝送部１７０２を追加してなる。
【００５３】
すなわち、本発明の実施の形態３に係る携帯通信端末装置１７００は、アンテナ１０１、無線部１０２、音声処理部１０３、音声入力部１０４、音声出力部１０５、表示部１０６、位置情報取得部１０７、暗号化処理部１０８、データ記憶部１７０１、制御部１１０、操作入力部１１１及び暗号化データ伝送部１７０２を具備している。データ記憶部１７０１は、個人情報記憶部１０９１、緊急メッセージ記憶部１０９３及び緊急時連絡先記憶部１０９４を具備している。暗号化データ伝送部１７０２は、暗号化処理部１０８及び制御部１１０に接続されている。
【００５４】
次に、本発明の実施の形態１と異なる本発明の実施の形態３に係る携帯通信端末装置１７００の動作について、図１７を参照して説明する。
【００５５】
暗号化データ伝送部１７０２は、暗号化処理部１０８からの暗号化データを制御部１１０に伝送する。制御部１１０は、暗号化データ伝送部１７０２からの暗号化データを無線部１０２及びアンテナ１０１を介してサーバ１７１０に無線で送信する。サーバ１７１０は、暗号化データを正しく受信を完了した時に受信完了通知を携帯通信端末装置１７００に送る。また、サーバ１７１０は、暗号化データを保存する。制御部１１０は、アンテナ１０１及び無線部１０２を介してサーバ１７１０からの受信完了通知を受けた後に個人情報記憶部１０９１に記憶されている個人情報を削除する。なお、制御部１１０は、暗号化データ伝送部１７０２からの暗号化データを無線部１０２及びアンテナ１０１を介してサーバ１７１０に無線で送信した後に個人情報記憶部１０９１に記憶されている個人情報を削除してもよい。
【００５６】
このように、本発明の実施の形態３においては、携帯通信端末装置１７００の保持者が携帯通信端末装置１７００により警報音を発生した時に個人情報を暗号化して暗号化データをサーバに伝送して保存し、個人情報を削除するため、個人情報が盗まれることを防止することができ、また、携帯通信端末装置の保持者が居る位置の位置情報を特定の人が所持する通信装置に報知することができる。
【００５７】
なお、本発明の実施の形態１〜３において、位置情報取得部１０７及び緊急時連絡先記憶部１０９４は、削除してもよい。また、本発明の実施の形態１〜３において、解除キースイッチ１１１２は、削除してもよい。
【産業上の利用可能性】
【００５８】
本発明は、携帯電話装置等の携帯通信端末装置に適用して有用である。
【図面の簡単な説明】
【００５９】
【図１】本発明の実施の形態１に係る携帯通信端末装置を示すブロック図
【図２】本発明の実施の形態１に係る携帯通信端末装置を示す正面図
【図３】本発明の実施の形態１に係る携帯通信端末装置の警報キースイッチ及び解除キースイッチを示す拡大断面図
【図４】図３の本発明の実施の形態１に係る携帯通信端末装置の警報キースイッチを押した状態を示す図
【図５】本発明の実施の形態１に係る携帯通信端末装置の動作の１例を説明するためのフロー図
【図６】本発明の実施の形態１に係る携帯通信端末装置の警報キースイッチ及び解除キースイッチの他の例を示す裏面図
【図７】本発明の実施の形態１に係る携帯通信端末装置の警報キースイッチ及び解除キースイッチの他の例を示す裏面図
【図８】本発明の実施の形態１に係る携帯通信端末装置の警報キースイッチ及び解除キースイッチの他の例を示す右側図
【図９】本発明の実施の形態１に係る携帯通信端末装置の警報キースイッチ及び解除キースイッチの他の例を示す左側図
【図１０】本発明の実施の形態１に係る携帯通信端末装置の警報キースイッチ及び解除キースイッチの他の例を示す拡大断面図
【図１１】図１０の本発明の実施の形態１に係る携帯通信端末装置の警報キースイッチを押した状態を示す図
【図１２】本発明の実施の形態１に係る携帯通信端末装置の警報キースイッチ及び解除キースイッチの他の例を示す拡大断面図
【図１３】図１２の本発明の実施の形態１に係る携帯通信端末装置の警報キースイッチを押した状態を示す図
【図１４】本発明の実施の形態１に係る携帯通信端末装置の警報キースイッチ及び解除キースイッチの他の例を示す拡大断面図
【図１５】本発明の実施の形態１に係る携帯通信端末装置の警報キースイッチ及び解除キースイッチの他の例を示す拡大断面図
【図１６】本発明の実施の形態２に係る携帯通信端末装置を示すブロック図
【図１７】本発明の実施の形態３に係る携帯通信端末装置を示すブロック図
【符号の説明】
【００６０】
１００、１６００、１７００  携帯通信端末装置
１０１  アンテナ
１０２  無線部
１０３  音声処理部
１０４  音声入力部
１０５  音声出力部
１０６  表示部
１０７  位置情報取得部
１０８  暗号化処理部
１０９、１７０１  データ記憶部
１１０  制御部
１１１  操作入力部
１０９１  個人情報記憶部
１０９２  暗号化データ保存部
１０９３  緊急メッセージ記憶部
１０９４  緊急時連絡先記憶部
１１１１  警報キースイッチ
１１１２  解除キースイッチ
１１１３  操作キースイッチ部
１６０１  タイマー部
１７０２  暗号化データ伝送部
【図１】
2005204056.tif 000003
【図２】
2005204056.tif 000004
【図３】
2005204056.tif 000005
【図４】
2005204056.tif 000006
【図５】
2005204056.tif 000007
【図６】
2005204056.tif 000008
【図７】
2005204056.tif 000009
【図８】
2005204056.tif 000010
【図９】
2005204056.tif 000011
【図１０】
2005204056.tif 000012
【図１１】
2005204056.tif 000013
【図１２】
2005204056.tif 000014
【図１３】
2005204056.tif 000015
【図１４】
2005204056.tif 000016
【図１５】
2005204056.tif 000017
【図１６】
2005204056.tif 000018
【図１７】
2005204056.tif 000019